(57)【要約】【課題】  洗濯機及び浴槽より排出される洗濯水及び濯ぎ水並びに残り湯を貯溜し、水洗トイレの洗浄水として使用することで、貴重な水資源の保護と上水道代の節約をするための、中水用簡易貯水装置を提供することを目的とする。【解決手段】  洗濯機及び浴槽の排水管に連接可能な排水回収用予備タンクと、この排水回収用予備タンクから送られた排水を貯溜する貯水タンクからなり、当該貯水タンクには水位検出手段と、此れに連動したスイッチを設け、該スイッチによって開閉する排水バルブを、前記排水回収用予備タンクに設け、更に、この排水回収用予備タンク内に水位検出手段と、此れに連動して作動する送水ポンプが設けられたものである。【選択図】  図１
0003117035.tif 000002
【実用新案登録請求の範囲】
【請求項１】
洗濯機Ａ及び浴槽Ｂの排水管（１）に連接可能な排水回収用予備タンク（２）と、この排水回収用予備タンク（２）から送られた排水を貯溜する貯水タンク（３）からなる排水貯水装置において、当該貯水タンク（３）には水位検出手段（４）と、此れに連動したスイッチ（５）を設け、該スイッチ（５）によって開閉する排水バルブ（６）を、前記排水回収用予備タンク（２）に設け、更に、この排水回収用予備タンク（２）内に水位検出手段（７）と、此れに連動して作動する送水ポンプ（８）が設けられていることを特徴とする中水用簡易貯水装置。
【請求項２】
上記貯水タンク（３）は、水洗トイレのロータンク（９）より高い位置に設置され、当該貯水タンク（３）の送水管を水洗トイレのロータンク（９）の給水口に接続することを特徴とする請求項１記載の中水用簡易貯水装置。
【考案の詳細な説明】
【技術分野】
【０００１】  本考案は、洗濯機及び浴槽より排出される洗濯水及び濯ぎ水並びに残り湯を貯溜し、水洗トイレの洗浄水として使用することで、貴重な水資源の保護と上水道代の節約をするための、中水用簡易貯水装置の関するものである。
【背景技術】
【０００２】  従来、日本の水洗トイレ用ロータンクの多くは、押しボタン又はレバーに止水弁が連動して、開放された時、ロータンク内の洗浄水が一回で排出されて便器に流され、また新たにロータンクに給水されるものであった。
上記の様な水洗トイレなどに使われる洗浄水は、主に上水道を使用しており、通常１回に流れるトイレの洗浄水の量は最新の節水型トイレで約８リットル、普通は１０〜１２リットルで、一日に家庭で使われる水の量は一人当り約２４９リットルで、そのうち水洗トイレに約５９．８リットル（２４％）使われている。
つまり３人家族では一日に約１８０リットル、４人家族では約２３９リットルの水道水をトイレの洗浄用に使っている事になる。【０００３】  前記の様に、大量に使用される水道水の節約のため浴槽の残り湯をポンプによって汲み上げ水洗トイレのロータンクに直接給水し洗浄水として使用するものや雨水を貯水タンクに溜めて水洗トイレのロータンクに直接給水し洗浄水として使用するものがあった。
特許文献１参照。【０００４】  上記の他、排出される使用済み排水を処理して得られた処理水を洗浄水として使用するものもあるが、設備費や処理コストの高さなどから、大規模な建物などの採用にとどまり、一般家庭には余り普及していないものである。【０００５】  又、従来洗濯機で利用した洗濯水や濯ぎ水を再利用する方法としては、洗濯機本体内に一度使用した洗濯水や濯ぎ水を貯えるための貯水槽を内臓するものもあったが、貯水槽を内臓していることにより大型となり、洗濯機設置スペースの限られた住宅では使用できず、その為、洗濯水や濯ぎ水の殆どは、そのまま捨てられる場合が多かった。【０００６】
【特許文献１】実開昭５０−８４３３５号
【考案の開示】
【考案が解決しようとする課題】
【０００７】  現在、全世界では少なくとも２，０００億トンの水が不足していると考えられており、この問題を解決するためには海水、下水、汚染河川水の有効利用が必要不可欠とされている。
更に、地球規模での水不足は世界経済に大きな影響を及ぼし環境劣化をより促進することは共通の認識であり、総合科学技術会議においても環境分野の取り組みの中で「自然共生型流域圏・都市再生技術研究」として水環境と関係の深い研究が取り上げられている。
しかし、ここでは水利用・水管理システムを中心に据えており、多様な水資源を多段に水質で使いわける重層的な自律システムを考えることは、結果として地球上の貧困や環境問題の解決のみならず水資源に関わる紛争を和らげ国際平和への貢献に繋がるものである。【０００８】  わが国の年間の降水量は約６，５００億ｍ３（約六千五百億立方メートル）（１９７１年から２０００年までの３０年間の平均値）ですが、その内約２，３００億ｍ３（約二千三百億立方メートル）（３５％）は蒸発散してしまいます。残りの約４，２００億ｍ３（約四千二百億立方メートル）は理論上人間が最大限利用可能な量であり、これを水資源賦存量といいます。【０００９】  実際に使用している水量は、２０００年の取水量ベースで年間約８７０億ｍ３（約八百七十億立方メートル）であり、平均的な水資源賦存量の約２１％に相当します。この比率を水資源使用率といいます。使用されない３，０００億ｍ３（三千億立方メートル）以上の水は河川などによって海へ流出したり、地下水として貯えられています。【００１０】  取水の用途別の使用状況（２００２年）は、農業用水が約５６６億ｍ３（約五百六十六億立方メートル）で全体の約６６％、工業用水が約１２３億ｍ３（約百二十三億立方メートル）で全体の約１４％、生活用水が約１６３億ｍ３（約百六十三億立方メートル）で約１９％となっています。
日本の水資源使用率を地域別に見ると、大都市が集中する関東、近畿で高い値となっており、家庭で使用される水を家庭用水、オフィス、ホテル、飲食店等で使用される水を都市活動用水といい、これらをあわせて生活用水と呼んでいます。
生活用水の一人一日当たり使用量は水洗トイレの普及などの生活様式の変化に伴い１９６５年から２０００年までの間に約２倍に増加し、この間の人口の増加や経済活動の拡大とあいまって、生活用水の使用量は約３倍に増加しましたが、近年の使用量は横這いもしくは漸減傾向になっています。
家庭用水の使い方は、トイレ（約２４％）、風呂（約２４％）、炊事（約２３％）、洗濯（約２１％）、その他（８％）といった洗浄を目的とするものが大部分を占めています。【００１１】  上記の内、洗濯に使用される水と炊事に使用される水は、此れまで余り回収される事無くそのまま排出されていた、更に、洗濯に使用される水は、洗濯水及び濯ぎ水とがあるが特に濯ぎ水などは、異物も少なくそのまま排出するのは、非常にもったいないものであった。【００１２】  又、前記の様に、浴槽の残り湯をポンプによって汲み上げ水洗トイレのロータンクに直接給水し洗浄水として使用するのは、水洗トイレに使用する洗浄水は一回８〜１２リットル程で、ロータンクの容量も同じ位であるので、浴槽の残り湯をポンプによって汲み上げる場合、水洗トイレを使用するたびにポンプを作動させ、ロータンクに給水する必要があり手間を要する。
更に、その間は、浴槽に残り湯をそのまま残す必要があり、浴槽を使用するのが制限されるものであった。
又、雨水を貯水タンクに溜めて水洗トイレのロータンクに直接給水し洗浄水として使用するものは、その時の天候に左右され、渇水の時などは、使用出来なくなる恐れがあった。【００１３】  上記の様な問題を解決する為に本考案の中水用簡易貯水装置は、洗濯機及び浴槽より排出された排水を貯水タンクに一旦貯溜して、必要に応じて水洗トイレのロータンクに給水して、洗浄水として使用するものである。
【課題を解決するための手段】
【００１４】  洗濯機Ａ及び浴槽Ｂの排水管（１）に連接可能な排水回収用予備タンク（２）と、この排水回収用予備タンク（２）から送られた排水を貯溜する貯水タンク（３）からなる排水貯水装置において、当該貯水タンク（３）には水位検出手段（４）と、此れに連動したスイッチ（５）を設け、該スイッチ（５）によって開閉する排水バルブ（６）を、前記排水回収用予備タンク（２）に設け、更に、この排水回収用予備タンク（２）内に水位検出手段（７）と、此れに連動して作動する送水ポンプ（８）が設けられているもので、貯水タンク（３）の前に排水回収用予備タンク（２）を設けることで、貯水タンク（３）内の水位によって、排水の回収が自動的に行なえるもので、次の様なものである。
前記、貯水タンク（３）の水位を検出しそれと連動したスイッチ（５）により、排水回収用予備タンク（２）に設けられた排水バルブ（６）を開閉することで、貯水タンク（３）内の水位が下がり給水が必要な時だけ、排水回収用予備タンク（２）に排水が溜まり、それにより該排水回収用予備タンク（２）内に設けられた水位検出手段（７）と連動した送水ポンプ（８）が作動し、排水回収用予備タンク（２）から貯水タンク（３）に送水されるものである。【００１５】  上記貯水タンク（３）は、水洗トイレのロータンク（９）より高い位置に設置され、当該貯水タンク（３）からの送水管を水洗トイレのロータンク（９）の給水口に接続したもので、水洗トイレのロータンク（９）の洗浄水が無くなり、給水が必要な場合水洗トイレのロータンク（９）のボールタップが作動し、自動的に給水されるものである。
【考案の効果】
【００１６】  本考案は、上記の様な構成をなすもので、水洗トイレの洗浄水を水道水から洗濯排水や浴槽の残り湯を再利用して使用すれば非常に大きな節水になる。【００１７】  例えば、浴槽の残り湯を洗濯水として使用し、更に、本考案の装置で回収して水洗トイレの洗浄水として使用すれば、水道の使用量を約半分にすることも可能である。【００１８】  排出される使用済み排水を処理して得られた処理水を洗浄水として使用するもののように、設備費や処理コストが掛からず、一般家庭に簡単に設置することが出来るものである。【００１９】  各家庭で、本考案の装置を設置し、使用することにより、家庭のみならず、もっと広い範囲での水不足による問題を解決することが可能である。
【考案の実施するための最良の形態】
【００２０】  本考中水用簡易貯水装置は、先ず洗濯機及び浴槽の排水管に連接可能な排水回収用予備タンクを設け、更に、回収された排水を貯溜する為の貯水タンクを設け、該貯水タンクと前記排水回収用予備タンクとを送水管で接続する。
【００２１】  次に、排水を貯溜する為の貯水タンクに水位検出手段と、これと連動したスイッチを設け、該スイッチにより開閉する排水口を、上記排水回収用予備タンクに設ける。
【００２２】  更に、上記排水回収用予備タンクの方にも水位検出手段と、これと連動して作動する送水ポンプを設ける。
【実施例】
【００２３】  図面をもって説明する。先ず、洗濯機Ａ及び浴槽Ｂの排水管（１）に連接可能な排水回収用予備タンク（２）を設ける。
この場合、洗濯機Ａ及び浴槽Ｂの排水管（１）を排水回収用予備タンク（２）の上方から挿入し固定できるものである。【００２４】  次に、上記排水回収用予備タンク（２）で回収された排水を貯溜する為の貯水タンク（３）を設ける。
この貯水タンク（３）と前記排水回収用予備タンクとを送水管で接続し、送水ポンプ（８）で排水を送るものである。【００２５】  次に、上記該貯水タンク（３）には水位検出手段（４）と、此れに連動したスイッチ（５）を設ける。
この貯水タンク（３）内の水位が予め設定された任意の位置より下がった場合、水位検出手段（４）によってそれが検出され、連動したスイッチ（５）が作動するものである。【００２６】  次に、スイッチ（５）によって開閉する排水バルブ（６）を、前記排水回収用予備タンク（２）下方に設ける。
前記の貯水タンク（３）内の水位が予め設定された任意の位置より下がった場合、水位検出手段（４）によってそれが検出され、連動した、当該スイッチ（５）が作動し、排水回収用予備タンク（２）の下方に設けられた排水バルブ（６）が閉じるものである。【００２７】  前記、排水回収用予備タンク（２）の下方に設けられた排水バルブ（６）が閉じた状態で、洗濯機や浴槽の排水を排出した場合、排水回収用予備タンク（２）に排水が溜まる。
次に、該排水回収用予備タンク（２）内の水位が上がり設定された任意の位置より上がった場合、水位検出手段（７）によってそれが検出され、連動した、送水ポンプ（８）が作動し、排水回収用予備タンク（２）から貯水タンク（３）に排水が送水されるものである。【００２８】  前記の様に送られた排水が貯水タンク（３）に溜まって、設定された任意の位置より上がった場合、水位検出手段（７）によってそれが検出され、連動した、当該スイッチ（５）が作動し、排水回収用予備タンク（２）の下方に設けられた排水バルブ（６）が開き、排水回収用予備タンク（２）に溜まった排水が排出され、該排水回収用予備タンク（２）内の水位が下がり設定された任意の位置より下がった場合、水位検出手段（７）によってそれが検出され、連動した、送水ポンプ（８）が停止するものである。【００２９】  前記の貯水タンク（３）は、水洗トイレのロータンク（９）より高い位置に設置され、当該貯水タンク（３）からの送水管を水洗トイレのロータンク（９）の給水口に接続してあり、水洗トイレのロータンク（９）の洗浄水が無くなり、給水が必要な場合水洗トイレのロータンク（９）のボールタップが作動し、自動的に給水されるものである。
【図面の簡単な説明】
【００３０】
【図１】    本考案の中水用簡易貯水装置の構成を示す概略図
【図２】    本考案の中水用簡易貯水装置の作動工程を示す工程図
【符号の説明】
【００３１】            １    排水管
２    排水回収用予備タンク
３    貯水タンク
４    水位検出手段
５    スイッチ
６    排水バルブ
７    水位検出手段
８    送水ポンプ
９    ロータンク
Ａ    洗濯機
Ｂ    浴槽
【図１】
0003117035.tif 000003
【図２】
0003117035.tif 000004